【手続補正書】
【提出日】平成23年9月7日(2011.9.7)
【手続補正１】
【補正対象書類名】特許請求の範囲
【補正対象項目名】全文
【補正方法】変更
【補正の内容】
【特許請求の範囲】
【請求項１】
ワイヤレス通信システムにおいてチャネルについてのチャネル品質データを送信する方法であって、
前記チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
K+1個の周波数間隔のM個の排他的グループを決定するステップであって、各グループが、前記M個の周波数間隔に対応する周波数間隔のうちのそれぞれの周波数間隔と、前記M個の周波数間隔のすぐ周囲にあるK個の周波数間隔とからなり、Kが周波数間隔間の相関の推定値に基づくステップと、
前記M個の周波数間隔の周波数位置を送信するステップと、
前記K+1個の周波数間隔のM個のグループについて同じチャネル品質インジケータを送信するステップとを含む方法。 
【請求項２】
Kが周波数間隔間の相関の所定の推定値に基づいて事前選択される、請求項1、8、9、43、または47に記載の方法。 
【請求項３】
周波数間隔間の相関の前記所定の推定値をシステム設計において決定するステップと、前記相関に応じてKを事前選択するステップとを含む、請求項2に記載の方法。 
【請求項４】
Kが、特定のチャネル条件下での周波数間隔間の前記相関の推定値を提供する平均測定値に基づいた基準に基づく、請求項1、2、3、8、9、43、または47に記載の方法。 
【請求項５】
周波数間隔間の前記相関の推定値をチャネル条件に基づいて導出するステップと、前記相関に応じてKを選択するステップとを含む、請求項1、8、9、43、または47に記載の方法。 
【請求項６】
前記推定値が周波数間隔間の前記チャネル品質インジケータの相関の推定値である、請求項1、2、3、4、5、8、9、43、または47に記載の方法。 
【請求項７】
ワイヤレス通信システムにおいてチャネルについてのチャネル品質データを送信する方法であって、
複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
前記M個の周波数間隔の周波数位置を送信するステップと、
前記M個の周波数間隔と、前記M個の周波数間隔に隣接する2M個の周波数間隔とからなる3M個の周波数間隔について、同じチャネル品質インジケータを送信するステップとを含む方法。 
【請求項８】
ワイヤレス通信システムにおいてチャネルについてのチャネル品質データを送信する方法であって、
前記チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
前記M個の周波数間隔のうちの1つの周波数間隔から指定数の周波数位置内にそれぞれがあるK個の周波数間隔のセットを決定するステップと、
前記M個の周波数間隔の周波数位置を送信するステップと、
前記M個の周波数間隔と、前記K個の周波数間隔のセットの前記周波数間隔とからなるM+K個の周波数間隔について、同じチャネル品質インジケータを送信するステップとを含む方法。 
【請求項９】
ワイヤレス通信システムにおいてチャネルについてのチャネル品質データを送信する方法であって、
前記チャネル内のそれぞれの周波数位置における複数の周波数間隔のそれぞれについて、それぞれのチャネル品質メトリックを決定するステップと、
前記決定されたチャネル品質メトリックに応じて、K個の隣接する周波数間隔をそれぞれが含む複数M個の好ましい排他的グループを形成するステップであって、前記グループのサイズが周波数間隔間の相関の推定値に基づくステップと、
前記M個の好ましいグループの周波数位置を送信するステップと、
前記M個のグループの前記周波数間隔について同じチャネル品質インジケータを送信するステップとを含む方法。 
【請求項１０】
Kが周波数間隔間の前記相関の所定の推定値に基づいて事前選択される、請求項9に記載の方法。 
【請求項１１】
周波数間隔間の相関の前記所定の推定値をシステム設計において決定するステップと、前記相関に応じて前記グループの前記サイズを事前選択するステップとを含む、請求項10に記載の方法。 
【請求項１２】
周波数間隔間の前記相関の推定値をチャネル条件に基づいて導出するステップと、前記相関に応じてKを選択するステップとを含む、請求項9に記載の方法。 
【請求項１３】
前記推定値が周波数間隔間の前記チャネル品質インジケータの相関の推定値である、請求項9、10、11、または12に記載の方法。 
【請求項１４】
前記送信されたチャネル品質情報が、前記M個の好ましいチャネル品質インジケータの前記周波数間隔に隣接する周波数間隔をスケジュールするのに使用されることになるかどうかを示すインジケータを送信するステップをさらに含む、請求項1から13のいずれかに記載の方法。 
【請求項１５】
前記選択された周波数間隔が、選択基準に基づくM個の好ましい間隔である、請求項1から14のいずれかに記載の方法。 
【請求項１６】
前記選択基準が、最も高いチャネル品質インジケータ値を有するM個の周波数間隔の選択を含む、請求項15に記載の方法。 
【請求項１７】
システム帯域幅または動作帯域幅にわたる平均されたチャネル品質インジケータ情報を送信するステップをさらに含む、請求項1から16のいずれかに記載の方法。 
【請求項１８】
前記同じチャネル品質インジケータ情報を、前記システム帯域幅または前記動作帯域幅にわたる前記平均されたチャネル品質インジケータ情報に対して差分的に符号化するステップと、
前記同じチャネル品質インジケータ情報を、差分的に符号化された形で送信するステップとを含む、請求項17に記載の方法。 
【請求項１９】
ワイヤレス通信システムにおいて入来チャネルを受信するための受信機と、
前記チャネル内のそれぞれの周波数位置における複数の周波数間隔のうちのそれぞれの周波数間隔のチャネル品質情報にそれぞれが基づく複数のメトリックを決定するように構成された計算ブロックと、
前記メトリックに基づいて複数M個の周波数間隔を選択し、K+1個の周波数間隔のM個の排他的グループを決定するように構成された選択ブロックであって、各グループが、前記M個の周波数間隔に対応する周波数間隔のうちのそれぞれの周波数間隔と、前記M個の周波数間隔のすぐ周囲にあるK個の周波数間隔とからなり、Kが周波数間隔間の相関の推定値に基づく選択ブロックと、
前記M個の周波数間隔の周波数位置を送信し、前記K+1個の周波数間隔のM個のグループについて同じチャネル品質インジケータを送信するように構成された送信機とを備えるユーザ機器。 
【請求項２０】
Kが周波数間隔間の相関の所定の推定値に基づいて事前選択される、請求項19または23に記載のユーザ機器。 
【請求項２１】
前記選択ブロックが、周波数間隔間の前記相関の推定値をチャネル条件に基づいて提供し、前記相関に応じてKを選択するように構成された、請求項19または23に記載のユーザ機器。 
【請求項２２】
前記推定値が周波数間隔間の前記チャネル品質インジケータの相関の推定値である、請求項19、20、21、または23に記載のユーザ機器。 
【請求項２３】
ワイヤレス通信システムにおいて入来チャネルを受信するための受信機と、
前記チャネル内のそれぞれの周波数位置における複数の周波数間隔のそれぞれについて、それぞれのチャネル品質メトリックを決定するように構成された計算ブロックと、
前記決定されたチャネル品質メトリックに応じて、K個の隣接する周波数間隔をそれぞれが含む複数M個の好ましい排他的グループを形成するように構成された選択ブロックであって、前記グループのサイズが周波数間隔間の相関の所定の推定値に基づく選択ブロックと、
前記M個の好ましいグループの周波数位置を送信し、前記M個のグループの前記周波数間隔について同じチャネル品質インジケータを送信するように構成された送信機とを備えるユーザ機器。 
【請求項２４】
前記グループの前記サイズが周波数間隔間の前記チャネル品質インジケータの相関の所定の推定値に基づいて事前選択される、請求項23に記載のユーザ機器。 
【請求項２５】
前記選択ブロックが、周波数間隔間の前記相関の推定値をチャネル条件に基づいて提供し、前記相関に応じて前記グループの前記サイズを選択するように構成された、請求項23に記載のユーザ機器。 
【請求項２６】
前記推定値が周波数間隔間の前記チャネル品質インジケータの相関の推定値である、請求項23、24、または25に記載のユーザ機器。 
【請求項２７】
受信機からフィードバックされたチャネル品質データを使用してワイヤレス通信システムにおいて送信する方法であって、
それぞれの周波数位置における複数の周波数間隔を含むワイヤレスチャネルを介して前記受信機に信号を送信するステップと、
周波数間隔の好ましい排他的グループの位置を受信するステップであって、各グループの前記周波数間隔が相互から所定数の周波数位置内にあり、前記グループのサイズが周波数間隔間の相関の所定の推定値に基づき、前記位置が、前記チャネルを介して受信された前記信号に基づいて前記受信機から返送されるステップと、
前記グループについて同じチャネル品質インジケータを受信するステップであって、前記チャネル品質インジケータが、前記チャネルを介して受信された前記信号に基づいて前記受信機から返送されるステップと、
前記同じチャネル品質インジケータを利用して、前記グループ内の前記複数の周波数間隔上での後続の送信をスケジュールするステップとを含む方法。 
【請求項２８】
前記推定値が周波数間隔間の前記チャネル品質インジケータの相関の推定値である、請求項27に記載の方法。 
【請求項２９】
ワイヤレス通信システムにおいて使用するための送信機であって、
それぞれの周波数位置における複数の周波数間隔を含むワイヤレスチャネルを介して受信機に信号を送信するための送信手段と、
周波数間隔の好ましい排他的グループの位置を受信するための受信手段であって、各グループの前記周波数間隔が相互から所定数の周波数位置内にあり、前記グループのサイズが周波数間隔間の相関の所定の推定値に基づき、前記グループについて同じチャネル品質インジケータを受信するための受信手段であって、前記位置および前記チャネル品質インジケータが前記送信に基づいて前記受信機から返送される受信手段と、
前記同じチャネル品質インジケータを利用して、前記グループの前記周波数間隔上での後続の送信をスケジュールするように構成されたスケジューリング手段とを備える送信機。 
【請求項３０】
前記推定値が周波数間隔間の前記チャネル品質インジケータの相関の所定の推定値である、請求項29に記載の送信機。 
【請求項３１】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップであって、前記チャネルに対して総数の周波数間隔および対応するチャネル品質インジケータがあるステップと、
複数M個の好ましいチャネル品質インジケータを選択するステップと、
前記好ましいM個のチャネル品質インジケータの周波数位置を送信するステップと、
平均されたチャネル品質インジケータ情報を送信するステップであって、前記平均された情報が、前記好ましいM個のチャネル品質インジケータと、前記M個の好ましいチャネル品質インジケータのうちの1つの周波数間隔から指定数の周波数位置内にある周波数間隔にそれぞれ対応する追加のチャネル品質インジケータとに基づくが、前記総数よりも少ないチャネル品質インジケータに基づき、前記指定数が周波数間隔間の相関の推定値に基づくステップとを含む方法。 
【請求項３２】
前記指定数が周波数間隔間の相関の所定の推定値に基づいて事前選択される、請求項31に記載の方法。 
【請求項３３】
周波数間隔間の相関の前記所定の推定値をシステム設計において決定するステップと、前記相関に応じて前記指定数を事前選択するステップとを含む、請求項32に記載の方法。  
【請求項３４】
周波数間隔間の前記相関の推定値をチャネル条件に基づいて導出するステップと、前記相関に応じて前記指定数を選択するステップとを含む、請求項31に記載の方法。 
【請求項３５】
前記推定値が周波数間隔間の前記チャネル品質インジケータの相関の推定値である、請求項31、32、33、または34に記載の方法。 
【請求項３６】
ワイヤレス通信システムにおいて入来チャネルを受信するための受信機と、
前記チャネル内のそれぞれの周波数位置における複数の周波数間隔のうちのそれぞれの周波数間隔にそれぞれが対応する複数のチャネル品質インジケータを決定するように構成された計算ブロックであって、前記チャネルに対して総数の周波数間隔および対応するチャネル品質インジケータがある計算ブロックと、
複数M個の好ましいチャネル品質インジケータを選択するように構成された選択ブロックと、
前記好ましいM個のチャネル品質インジケータの周波数位置を送信し、平均されたチャネル品質インジケータ情報を送信するように構成された送信機であって、前記平均された情報が、前記好ましいM個のチャネル品質インジケータと、前記M個の好ましいチャネル品質インジケータのうちの1つの周波数間隔から指定数の周波数位置内にある周波数間隔にそれぞれ対応する追加のチャネル品質インジケータとに基づくが、前記総数よりも少ないチャネル品質インジケータに基づき、前記指定数が周波数間隔間の相関の推定値に基づく送信機とを備えるユーザ機器。 
【請求項３７】
前記指定数が周波数間隔間の相関の所定の推定値に基づいて事前選択される、請求項36に記載のユーザ機器。 
【請求項３８】
前記選択ブロックが、周波数間隔間の前記相関の推定値をチャネル条件に基づいて提供し、前記相関に応じて前記指定数を選択するように構成された、請求項36に記載のユーザ機器。 
【請求項３９】
前記推定値が周波数間隔間の前記チャネル品質インジケータの相関の推定値である、請求項36、37、または38に記載のユーザ機器。 
【請求項４０】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータの周波数間隔に隣接する2M個の周波数間隔のそれぞれにつき、前記隣接する周波数間隔の前記チャネル品質インジケータをそれぞれの好ましい周波数間隔に関係付ける傾斜データを生成するステップと、
前記M個の好ましいチャネル品質インジケータの周波数位置を送信するステップと、
前記M個の好ましいチャネル品質インジケータの平均を送信するステップと、
前記2M個の隣接する周波数間隔についての前記傾斜データの平均を送信するステップとを含む方法。 
【請求項４１】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータの周波数位置を送信するステップと、
前記M個の好ましいチャネル品質インジケータの平均を送信するステップと、
前記M個の好ましいチャネル品質インジケータに隣接する2M個のチャネル品質インジケータの平均を送信するステップとを含む方法。 
【請求項４２】
ワイヤレス通信システムにおいてチャネルについてのチャネル品質データを送信する方法であって、
複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータの周波数位置を送信するステップと、
前記M個の好ましいチャネル品質インジケータと、前記M個の好ましいチャネル品質インジケータの周波数間隔に隣接する周波数間隔の2M個のチャネル品質インジケータとからなる3M個のチャネル品質インジケータの平均を送信するステップとを含む方法。 
【請求項４３】
ワイヤレス通信システムにおいてチャネルについてのチャネル品質データを送信する方法であって、
前記チャネル内のそれぞれの周波数位置における複数の周波数間隔のうちのそれぞれの周波数間隔のチャネル品質情報にそれぞれが基づく、複数のメトリックを決定するステップと、
前記メトリックに基づいて複数M個の周波数間隔を選択するステップと、
K+1個の周波数間隔のM個の排他的グループを決定するステップであって、各グループが、前記M個の周波数間隔のうちのそれぞれの周波数間隔と、前記M個の周波数間隔のうちのそれぞれの周波数間隔のすぐ周囲にあるK個の周波数間隔とからなり、Kが周波数間隔間の相関の推定値に基づくステップと、
前記M個の好ましいチャネル品質インジケータの周波数位置を送信するステップと、
M個のチャネル品質インジケータを送信するステップであって、各々が、前記M個のグループのうちのそれぞれのグループの前記K+1個の周波数間隔について同じチャネル品質インジケータを報告するために送信される、ステップとを含む方法。 
【請求項４４】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータに対応する周波数間隔のうち、最高および最低の周波数位置を有する2つの周波数間隔を決定するステップと、
前記最高および最低の周波数位置を送信するステップと、
前記最高および最低の周波数位置の周波数間隔を含めた、前記最高および最低の周波数位置の周波数間隔の間にある全ての周波数間隔の前記チャネル品質インジケータの平均を送信するステップとを含む方法。 
【請求項４５】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータに対応する周波数間隔のうち、最高および最低の周波数位置を有する2つの周波数間隔を決定するステップと、
前記M個の好ましいチャネル品質インジケータの周波数位置を送信するステップと、
前記最高および最低の周波数位置の周波数間隔を含めた、前記最高および最低の周波数位置の周波数間隔の間にある全ての周波数間隔の前記チャネル品質インジケータの平均を送信するステップとを含む方法。 
【請求項４６】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータに対応する周波数間隔のうち、最高および最低の周波数位置を有する2つの周波数間隔を決定するステップと、
前記M個の好ましいチャネル品質インジケータの周波数位置を送信するステップと、
前記M個の好ましいチャネル品質インジケータの平均を送信するステップと、
前記M個の好ましいチャネル品質インジケータを除いた、前記最高および最低の周波数位置の周波数間隔の間における全ての周波数間隔の前記チャネル品質インジケータの平均を送信するステップとを含む方法。 
【請求項４７】
ワイヤレス通信システムにおいてチャネルについてのチャネル品質データを送信する方法であって、
前記チャネル内のそれぞれの周波数位置における複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータのうちの1つの周波数間隔から指定数の周波数位置内にそれぞれがあるK個の周波数間隔のセットを決定するステップであって、Kが周波数間隔間の相関の推定値に基づくステップと、
前記M個の好ましいチャネル品質インジケータの周波数位置を送信するステップと、
前記M個の好ましいチャネル品質インジケータと、前記K個の周波数間隔のセットの前記チャネル品質インジケータとからなるM+K個のチャネル品質インジケータの平均を送信するステップとを含む方法。 
【請求項４８】
前記グループのうちの1つまたは複数の前記平均チャネル品質インジケータを、前記グループのうちの別のグループの前記平均チャネル品質インジケータに対して差分的に符号化するステップを含み、前記1つまたは複数のグループのうちの1つまたは複数のチャネル品質インジケータが、差分的に符号化された形で送信される、請求項43に記載の方法。 
【請求項４９】
前記グループのうちの1つの前記平均チャネル品質インジケータを、前記グループのうちの別のグループの前記平均チャネル品質インジケータに対して差分的に符号化するステップをさらに含む、請求項46に記載の方法。 
【請求項５０】
ワイヤレス通信システムにおいてチャネルについてのチャネル品質データを送信する方法であって、
複数の周波数間隔のうちのそれぞれの周波数間隔にそれぞれが対応する、複数のチャネル品質インジケータを決定するステップと、
複数M個の好ましいチャネル品質インジケータを選択するステップと、
前記M個の好ましいチャネル品質インジケータに対応する周波数間隔の周波数位置を送信するステップと、
前記M個の好ましいチャネル品質インジケータの平均を計算するステップと、
前記M個の好ましいチャネル品質インジケータの平均を送信するステップと、
前記M個の好ましいチャネル品質インジケータの前記平均が、前記M個の好ましいチャネル品質インジケータの前記周波数間隔に隣接する周波数間隔をスケジュールするのに使用されることになるかどうかを示すインジケータを送信するステップとを含む方法。 
【請求項５１】
前記送信されたチャネル品質情報が、前記M個の好ましいチャネル品質インジケータの前記周波数間隔に隣接する周波数間隔をスケジュールするのに使用されることになるかどうかを示すインジケータを送信するステップをさらに含む、請求項1から50のいずれかに記載の方法。 
【請求項５２】
ワイヤレス通信システムにおいて送信をスケジュールする方法であって、
選択された周波数間隔についてのチャネル品質インジケータ情報を受信するステップと、
前記選択された周波数間隔についての前記チャネル品質インジケータ情報に応じて少なくとも1つの他の周波数間隔における送信をスケジュールするステップとを含む方法。 
【請求項５３】
システム帯域幅または動作帯域幅にわたる平均されたチャネル品質インジケータ情報を送信するステップをさらに含む、請求項1から52のいずれかに記載の方法。